(57)【要約】      （修正有）【課題】マスクが掛止された帽子において、マスクをずれ難くする帽子を提供する。【解決手段】左右の耳掛け部を有するマスクと併用して着用される帽子１であって、帽子の下縁に沿って周方向に延在し、帽子の後部に２つの端部を備えた帯状部材５と、２つの端部の間の距離を調整するためのアジャスタと、帽子の左右両側部に設けられ、マスクの耳掛部が掛止される掛止部１５とを有し、掛止部はそれぞれ、帯状部材に結合された布部材１７と、布部材が通された板部材１８とを含む。掛止部は、帯状部材に前後方向にスライド移動可能に設けられている。【選択図】図１
0003229436.tif 000002
【実用新案登録請求の範囲】
【請求項１】
左右の耳掛部を有するマスクと併用して着用される帽子であって、
前記帽子の下縁に沿って周方向に延在し、前記帽子の後部に２つの端部を備えた帯状部材と、
前記２つの端部の間の距離を調整するためのアジャスタと、
前記帽子の左右両側部に設けられ、前記マスクの前記耳掛部が掛止される掛止部とを有し、
前記掛止部は、前記帯状部材に前後方向にスライド移動可能に設けられている帽子。
【請求項２】
前記掛止部は、前後両端において前記帯状部材に固定された布部材と、前記布部材が通される孔を備えた板部材とを有し、
前記マスクの前記耳掛部は、前記布部材と前記板部材との間に掛止されている請求項１に記載の帽子。
【請求項３】
前記帽子の後部に下方に垂れるように取り付けられ、着用者の毛髪を覆う袋状のカバーを更に有している請求項１又は２に記載の帽子。
【請求項４】
前記アジャスタは、リングベルトを含む請求項１〜３のいずれか１項に記載の帽子。
【請求項５】
前記アジャスタは、周方向に伸縮可能な伸縮部材を含む請求項１〜３のいずれか１項に記載の帽子。
【考案の詳細な説明】
【技術分野】
【０００１】
本考案は、衛生管理が必要とされる現場において使用される帽子に関する。
【背景技術】
【０００２】
衛生管理が必要とされる現場において使用される帽子であって、マスクと併用して着用されるものが公知である（例えば、特許文献１）。特許文献１の帽子は、マスクの耳掛部を掛止するための掛止部が、着用者の両耳の位置に設けられている。
【先行技術文献】
【特許文献】
【０００３】
【特許文献１】実用新案登録第３１３４５２７号公報
【考案の概要】
【考案が解決しようとする課題】
【０００４】
作業時の快適性を向上させるため、可撓性を有する変形可能な材料で帽子を製造することが考えられる。このような帽子において掛止部が変形容易な部位に設けられると、掛止部の位置が定まり難くなり、マスクがずれ易くなるという問題がある。
【０００５】
本考案は、以上の背景を鑑み、マスクが掛止された帽子において、マスクをずれ難くすることを課題とする。
【課題を解決するための手段】
【０００６】
上記課題を解決するために本発明の一態様は、左右の耳掛け部（２８）を有するマスク（２７）と併用して着用される帽子（１、３１）であって、帽子の下縁に沿って周方向に延在し、帽子の後部に２つの端部（６ａ、６ｂ）を備えた帯状部材（５）と、２つの端部の間の距離を調整するためのアジャスタ（９、３９）と、帽子の左右両側部に設けられ、マスクの耳掛部が掛止される掛止部（１５）とを有し、掛止部は、帯状部材に前後方向にスライド移動可能に設けられている。
【０００７】
この構成によれば、帽子を着用するとき、着用者は、アジャスタによって帽子の開口部の周方向の長さを調整し、帯状部材を着用者の頭部に接触させる。帯状部材が着用者の頭部に接触すると、着用者の頭部と帯状部材とは、摩擦によってずれ難くなる。掛止部は帯状部材に設けられているため、マスクが掛止される位置も着用者の頭部に対してずれ難くなる。更に、掛止部は帯状部材に前後方向にスライド移動可能に設けられているため、着用者は、マスクが掛止される位置を微調整することができる。
【０００８】
上記の態様において、掛止部は、その前後両端において帯状部材に固定された布部材（１７）と、布部材が通される孔（１９）を備えた板部材（１８）とを有し、マスクの耳掛部は、布部材と板部材との間に掛止されている。
【０００９】
この構成によれば、着用者は、板部材を布部材に対して前後にスライド移動させることによってマスクが掛止される位置を微調整することができる。
【００１０】
上記の態様において、帽子の後部に下方に垂れるように取り付けられ、着用者（２６）の毛髪を覆う袋状のカバー（２１）を更に有している。
【００１１】
この構成によれば、毛髪の落下を防ぐことができる。
【００１２】
上記の態様において、アジャスタは、リングベルト（１０）を含む。
【００１３】
この構成によれば、帽子着用時には、着用者によってリングベルトのリングの位置が調整されて、帯状部材が着用者の頭部に接触する。よって、着用者の頭部と帯状部材とはずれ難くなり、マスクが掛止される位置をずれ難くすることが容易となる。
【００１４】
上記の態様において、アジャスタは、周方向に伸縮可能な伸縮部材（４０）を含む。
【００１５】
この構成によれば、帽子を着用するとき、伸縮部材が周方向に伸縮し、帯状部材が着用者の頭部に接触する。よって、着用者の頭部と帯状部材とはずれ難くなり、マスクが掛止される位置をずれ難くすることが容易となる。
【考案の効果】
【００１６】
以上の構成によれば、マスクが掛止された帽子において、マスクをずれ難くすることができる。
【図面の簡単な説明】
【００１７】
【図１】第１実施形態の帽子の側面図
【図２】第１実施形態の帽子の背面図
【図３】第１実施形態の帽子の使用態様を説明するための説明図
【図４】第２実施形態の帽子の斜め後方から見たときの斜視図
【考案を実施するための形態】
【００１８】
＜＜第１実施形態＞＞
以下、図面を参照して、本考案に係る帽子１の実施形態について説明する。図１に示すように、帽子１は、頭部が挿入される開口部２を画定する半球状のクラウン３と、その開口部２から外向きに延出したバイザー４とを有する。本実施形態では、帽子１はいわゆるキャスケットであるが、この態様には限定されず、例えば、帽子１はキャップであってもよい。着用者は着用時にはクラウン３を頭部に被せて、更に、バイザー４を頭部の前側に配置する。以下では、着用者を基準として前後、左右及び上下方向を定義して説明を行うが、これは単に説明の便宜上のものであり、本考案を限定するものではない。
【００１９】
クラウン３には、その下縁に沿って周方向に延在する帯状部材５が設けられている。本実施形態では、帯状部材５は所定の幅Ｗ１を有し、図２に示すように２つの端部６ａ、６ｂを備えた布によって構成されている。帯状部材５の端部６ａ、６ｂはそれぞれ帽子１の後部に位置している。２つの端部６ａ、６ｂは、両者の距離を調整するためのアジャスタ９によって接続されている。
【００２０】
本実施形態では、アジャスタ９はリングベルト１０を含む。リングベルト１０は、帯状部材５の一方の端部６ａに接続されて周方向に延在するバンド部材１１と、他方の端部６ｂに接続されたループ状の接続部材１２と、接続部材１２に取り付けられ、バンド部材１１に巻き付けられて止められた２つの環状部材１３とを有する。バンド部材１１及び接続部材１２は、帯状部材５と同一の材料の布によって形成されている。環状部材１３は、略Ｄ字の形をなす樹脂製又は金属製の金具（Ｄカン）であるとよい。バンド部材１１は基端１１ａにおいて帯状部材５の端部６ａに結合され、自由端１１ｂにおいて２つの環状部材１３に通されたあと折り返されて、自由端１１ｂ側に位置する環状部材１３の外側に巻き付けてから基端１１ａ側に位置する環状部材１３の内側をくぐらせることによって固定されている。
【００２１】
図１に示すように、帽子１の左右両側部にはそれぞれ、マスクを掛止するための掛止部１５が設けられている。掛止部１５は、帯状部材５に、前後方向にスライド移動可能に設けられている。掛止部１５は概ね、着用者の耳の位置に設けられている。
【００２２】
本実施形態では、掛止部１５はそれぞれ、帯状部材５に結合された布部材１７と、布部材１７が通された板部材１８とを含む。布部材１７は前後に延びる帯状をなす部材であって、本実施形態では、帯状部材５と同一の材料の布によって形成されている。布部材１７の上下方向の幅Ｗ２は帯状部材７の幅Ｗ１より小さく、前後方向の長さは少なくともクラウン３の直径より短い。より具体的には、布部材１７の前後方向の長さは、着用者の耳の幅と同程度の長さであるとよい。
【００２３】
板部材１８は、円板状をなす樹脂製の部材であって、少なくとも布部材１７に比べて変形し難い。板部材１８には、その厚さ方向に貫通する孔１９が設けられている。布部材１７はそれぞれ板部材１８の孔１９を通過した状態で、帽子１の左右外面を構成する帯状部材５の部分に重ねられ、前後両端においてその部分に固定されている。これにより、板部材１８は布部材１７に前後方向にスライド移動可能に結合されている。但し、布部材１７は可能な限り、前後方向に張った状態で、帯状部材５に結合されているとよい。
【００２４】
本実施形態では、板部材１８には前後方向に整列し、互いに略平行に配置された２つの長孔（孔１９）が設けられている。布部材１７は、板部材１８の２つの長孔に通された状態で、帯状部材５に結合されている。より具体的には、布部材１７は、その一端が板部材１８の裏側から一方の長孔を通って板部材１８の表側に延び、他方の長孔を通って板部材１８の裏側に延びた状態で、帯状部材５に結合されている。このとき、長孔の延びる方向は布部材１７の延在方向に直交している。本実施形態では、板部材１８には２つの長孔が設けられているが、別の実施形態では、板部材１８には、１つ、又は３つ以上の孔１９が設けられていてもよい。
【００２５】
帽子１には着用者の毛髪を覆うためのカバー２１が取り付けられている。カバー２１は開口部２２を有する袋状をなしている。カバー２１はその開口部２２の一部において、クラウン３の後部内側に、下方に垂れるように取り付けられている。本実施形態では、カバー２１が縫合される位置は、カバー２１の開口縁２３と掛止部１５の前縁部分２４とが前後方向において整合する位置である。また、カバー２１は着用時の通気性を向上させるため、メッシュ素材によって形成されるとよい。着用者がその開口面積を拡縮させることにより、容易に毛髪をカバー２１の内部に収容できるように、カバー２１の開口縁２３には伸縮可能な紐状の伸縮性材料（例えば、ゴム等）が設けられているとよい。
【００２６】
本考案に係る帽子１は、食品の製造や、医療機器の製造などの衛生管理が必要とされる現場において使用される。図３に示すように、着用時には、着用者２６はまず、クラウン３の内部からカバー２１を引き出す。次に、カバー２１の開口縁２３を拡張させながら、その内部に自身の毛髪及び耳（図示せず）を収容する。これと同時に、着用者２６は自らの頭部をクラウン３によって覆うことによって帽子１を着用する。次に、帯状部材５の内側が着用者２６の頭部に接触するように、アジャスタ９（図２を参照）によって帽子１の開口部２の周方向の長さを調整する。より具体的には、図２に示すように、バンド部材１１に環状部材１３が係止されている位置を変位させることによって、帯状部材５の２つの端部６ａ、６ｂの間の距離を調整する。次に、図３に示すように、マスク２７の左右に設けられた耳掛部２８を、それぞれ、帽子１の左右両側部の掛止部１５の布部材１７と板部材１８との間に掛止する。最後に、板部材１８を布部材１７に対して前後にスライド移動させることによって、マスク２７の位置を微調整する。これにより、帽子１のカバー２１に毛髪が収容された状態で、着用者２６はマスク２７と併用して帽子１を着用することができる。マスク２７と帽子１とを併用して着用することによって、毛髪の落下、及び着用者２６の鼻や口からの飛沫の飛散を防ぐことができ、衛生管理を効果的に行うことができる。
【００２７】
以下、帽子１の効果について説明する。マスク２７の耳掛部２８と耳との摩擦や、マスク２７の耳掛部２８による圧迫によって、長時間のマスク２７の着用が着用者２６にとって負担になることがある。本考案に係る帽子１は、掛止部１５にマスク２７の耳掛部２８が掛止された状態で、マスク２７と併用して着用される。このとき、着用者２６の耳にマスク２７の耳掛部２８が掛止されないため、着用者２６への負担を軽減することができる。
【００２８】
マスク２７の耳掛部２８として適切な位置は、着用者２６の頭部の大きさ等に依存し、着用者２６ごとに異なる。そのため、掛止部１５の位置は、調整可能であることが好ましい。本実施形態では、掛止部１５が前後方向にスライド移動可能に設けられているため、着用者２６は、マスク２７が掛止される位置を自らに適するように微調整することができる。そのため、マスク２７の耳掛部２８による圧迫が抑えられ、着用者２６への負担を軽減することができる。
【００２９】
図２及び図３に示すように、帽子１を着用するとき、着用者２６は、帽子１をずれ難くするために、アジャスタ９によって帽子１の開口部２の周方向の長さを調整する。この調整によって、帯状部材５が着用者２６の頭部に接触する。本考案に係る帽子１では、掛止部１５は帯状部材５に設けられているため、アジャスタ９の調整によって掛止部１５が設けられる帯状部材５が着用者２６の頭部に接触する。これにより、掛止部１５の位置がずれ難くなるため、マスク２７が掛止される位置もずれ難い。
【００３０】
本考案に係る帽子１では、カバー２１は、カバー２１の開口縁２３と掛止部１５の前縁部分２４とが前後方向において整合する位置に縫合されている。掛止部１５は概ね、着用者２６の耳の位置に設けられているため、カバー２１によって着用者２６の耳の部分や、耳の部分にかかる毛髪を容易に覆うことができる。
【００３１】
更に、マスク２７の着用時には、マスク２７の耳掛部２８が着用者２６の輪郭に沿うように配置され、カバー２１の一部がマスク２７の耳掛部２８によって着用者２６の頭部に押し付けられる。そのため、カバー２１の一部、特に、着用者２６の耳を覆う部分が着用者２６の頭部からずれ難くなる。また、本実施形態では、カバー２１がメッシュ素材によって形成されているため、着用者２６は、自身の耳がカバー２１によって覆われた状態であっても、作業時に周囲の音を聞き取り易い。
【００３２】
＜＜第２実施形態＞＞
図４は、第２実施形態の帽子３１の斜め後方から見たときの斜視図である。第２実施形態に係る帽子３１は、図１−３に示される第１実施形態に係る帽子１に対して、アジャスタ３９の構成が異なる。他の部分については第１実施形態と同様である。以下では、アジャスタ３９について詳細に説明し、他の部分については第１実施形態と同一の符号を付し説明を省略する。
【００３３】
図４に示されるように、アジャスタ３９は、第１実施形態と同様に、帯状部材５の両端部６ａ、６ｂを接続している。アジャスタ３９は伸縮自在に構成され、帽子３１の着用時に帯状部材５が着用者の頭部に接触する。本実施形態では、アジャスタ３９は、帽子３１の開口部２の周方向に伸縮可能な伸縮部材４０を含んでいる。伸縮部材４０は荷重が加わることによって弾性変形する素材、例えば、ゴムによって形成されているとよい。本実施形態では、第１実施形態と同様に、掛止部１５はそれぞれ、帯状部材５に設けられている。
【００３４】
このように構成された帽子３１の効果について説明する。帽子３１を着用するとき、伸縮部材４０が周方向に伸縮し、帯状部材５が着用者の頭部に接触する。これにより、着用者の頭部と帯状部材５とはずれ難くなる。更に、帯状部材５にマスクの耳掛部が掛止される掛止部１５が設けられているため、マスクが掛止される位置がずれることが防止される。
【００３５】
また、この構成では、第１実施形態と比べて、着用者がアジャスタ３９を調整することなく、アジャスタ３９の伸縮によって帯状部材５が着用者の頭部に接触する。よって、着用者がアジャスタ３９を調整することなく、帽子３１がずれ難くなるとともに、掛止部１５の位置もずれ難くなるため、帽子３１をマスクと併用して着用することがより容易となる。
【００３６】
以上で具体的実施形態の説明を終えるが、本考案は上記実施形態に限定されることなく変形実施することができる。上記実施形態において、帽子１、３１はキャスケット、又は、キャップであったがこの態様には限定されない。例えば、帽子はバイザーを欠いたベレー帽であってもよい。また、帽子は例えば、アジャスタ付きのハットやサンバイザーであってもよい。
【００３７】
また、上記実施形態では、アジャスタ９、３９はそれぞれリングベルト１０又は伸縮部材４０を含んでいたが、この態様には限定されない。例えば、アジャスタは、スナップバック又は面ファスナなどの他のサイズ調整機構を含んでいてもよい。
【符号の説明】
【００３８】
１    ：第１実施形態に係る帽子
５    ：帯状部材
６ａ  ：端部
６ｂ  ：端部
９    ：第１実施形態に係るアジャスタ
１０  ：リングベルト
１５  ：掛止部
１７  ：布部材
１８  ：板部材
１９  ：孔
２１  ：カバー
２６  ：着用者
２７  ：マスク
２８  ：耳掛部
３１  ：第２実施形態に係る帽子
３９  ：第２実施形態に係るアジャスタ
４０  ：伸縮部材
【図１】
0003229436.tif 000003
【図２】
0003229436.tif 000004
【図３】
0003229436.tif 000005
【図４】
0003229436.tif 000006